(57)【要約】【課題】厚さ及び長さの小さい記録媒体の厚さ程度に配設したロック可能なロック機構を備えることにより、前面パネルから突出する記録媒体の部分が占めるスペースを小さくし、装置の薄型化ができる記録媒体装着装置を提供する。【解決手段】厚さ及び長さの異なる二種の記録媒体６、８のいずれかを筐体２の前面パネルから一部分を突出させた状態で装着可能な装着ユニット４を備え、装着ユニット４は、筐体２内のスライドシャフト１２に沿って移動可能なスライドプレート１４及び大きさの異なる記録媒体６、８を装着可能なスライダー１６と、スライダー１６の移動を禁止するロック機構１８と、後部ストッパ及びスライドプレート１４を介してスライダー１６を係止する前部ストッパ２０と、コネクタ２２とを備え、ロック機構１８は、小さい記録媒体の厚さと同程度の厚さの範囲に配設して構成してある。【選択図】図３
2008041202.tif 000002
【特許請求の範囲】
【請求項１】
筐体と、該筐体の前面パネルに設けられ、記録媒体を挿入するための挿入口と、第一の記録媒体並びに該第一の記録媒体より厚さ及び長さの小さい第二の記録媒体のいずれかを前記挿入口から一部分を突出させた状態で装着可能な装着ユニットとを備える記録媒体装着装置において、
前記筐体内の前後方向にスライドシャフトが設けられており、
前記装着ユニットは、前記筐体内のスライドシャフトに沿って移動可能かつ前記第一の記録媒体及び第二の記録媒体を装着可能なスライダーと、該スライダーの移動を禁止するロック機構とを備え、
該ロック機構は、前記第二の記録媒体の移動域内であって前記第一の記録媒体の後端と当接してロックが解除されるように構成してあることを特徴とする記録媒体装着装置。
【請求項２】
前記装着ユニットは、前記スライドシャフトに沿って移動可能であって前記スライダーに当接して移動可能なスライドプレートと、該スライドプレートを介して前記スライダーの前方向の移動を係止する前部ストッパと、前記第一の記録媒体を装着した前記スライダーの後方向の移動を係止する後部ストッパとを有しており、
前記第一の記録媒体又は第二の記録媒体を前記挿入口から前記スライダーに装着してあるとき、前記前面パネルから突出する前記記録媒体の一部分の長さが、略等しくなるように、前記前部ストッパ及び後部ストッパが配設されていることを特徴とする請求項１に記載の記録媒体装着装置。
【請求項３】
前記ロック機構は、弾性体と、前記スライダーに装着された前記第二の記録媒体の一面に沿って接触しないように回動自在に設けられたロックレバーと、前記前部ストッパに形成され前記ロックレバーの一端と係合する係合孔とを有し、
前記ロックレバーは、前記係合孔に係合してロック状態を維持するように前記弾性体により付勢されており、
前記ロックレバーの他端が前記第一の記録媒体の後端に当接して、前記ロック機構が解除されるように配設されていることを特徴とする請求項１又は２に記載の記録媒体装着装置。
【請求項４】
前記装着ユニットは、前記スライダーに当接する前記スライドプレートを介して前記スライダーを前記記録媒体の取り出し方向に付勢する弾性体を有することを特徴とする請求項１乃至３のいずれか一つに記載の記録媒体装着装置。
【請求項５】
前記スライドシャフトの一端には段部が形成され、該段部に前記スライダーが係止可能になっており、
前記スライダーは、前記スライドプレートが前記前部ストッパに当接する位置から前記段部に当接する位置まで、前後方向に移動可能であることを特徴とする請求項１乃至４のいずれか一つに記載の記録媒体装着装置。
【請求項６】
前記装着ユニットは、前記第一の記録媒体を装着してあるとき、該第一の記録媒体の移動を禁止する媒体ロック機構を有していることを特徴とする請求項１乃至５のいずれか一つに記載の記録媒体装着装置。
【請求項７】
前記媒体ロック機構は、前記第一の記録媒体の一面の端縁部に有する溝に係合するロック爪を備えていることを特徴とする請求項６に記載の記録媒体装着装置。
【請求項８】
前記スライダーは、前記記録媒体を装着してあるときに接続されるコネクタを有しており、前記ロック爪の係合力が前記コネクタの抜去力よりも小さく設定されていることを特徴とする請求項７に記載の記録媒体装着装置。
【請求項９】
前記筐体の前面パネルは前記記録媒体の挿入方向に対して傾斜を有し、前記装着ユニットが前記傾斜にならって階段状に搭載されていることを特徴とする請求項１乃至８のいずれか一つに記載の記録媒体装着装置。
【請求項１０】
前記筐体の前面パネルに前扉を設けたことを特徴とする請求項１乃至９のいずれか一つに記載の記録媒体装着装置。
【発明の詳細な説明】
【技術分野】
【０００１】
本発明は、大きさの異なる複数の記録媒体を装着する記録媒体装着装置に関する。
【背景技術】
【０００２】
着脱可能な記録媒体として、カセットテープ及びビデオテープ等の磁気記録媒体、並びにＣＤ、ＭＤ及びＤＶＤ等の光記録媒体などがある。また、近年、パソコンだけでなくＡＶ機器、情報家電及び車載情報機器など幅広い用途で利用されることを想定されているリムーバブルハードディスクが実用化されてきている。
【０００３】
この種の記録媒体を装着する装置として以下の提案がある。
特許文献１に示すカセットオートチェンジャでは、フレームに等間隔に取り付けられた複数の側板間に複数の着脱自在に挿入して取り付けたカセット収納棚を構成し、その際、複数の棚板で複数の側板を水平方向に突っ張らせることにより、カセット移送機によるカセット自動交換動作中の機械振動等によって複数の側板が水平方向に揺れることを防止している。
【０００４】
特許文献２に示す磁気記録再生装置では、カセットのイジェクト動作時に、所望のカセットのみを選択的に取り出せるようにするため、カセットオートチェンジャ機構を備えた磁気記録再生装置において、カセットのイジェクト操作のためのイジェクト選択キーの押し回数により、所望のカセットのみを選択的に取り出せるように、イジェクト選択キーによりカセット着脱機構を制御する構成としている。
【０００５】
特許文献３に示す例では、書き換え可能なＤＶＤの書き換え機能を発揮できるようにしたディスクチェンジャ装置が示されている。
【特許文献１】実開昭６４−２３７３７号公報
【特許文献２】特開平５−１９８０６５号公報
【特許文献３】特開２００４−１２７４３７号公報
【発明の開示】
【発明が解決しようとする課題】
【０００６】
しかしながら、従来の特許文献１〜３のような装置では、装着する複数の記録媒体の大きさが同じものでなければならず、大きさの異なる記録媒体を装着することはできない。
リムーバブルハードディスクの規格の一つであるｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）には、ハードウエアとして、筐体サイズが１３０ｍｍ×８０ｍｍ×１２．７ｍｍの２．５インチのハードディスク及び筐体サイズが８０ｍｍ×６７ｍｍ×１０ｍｍの１．８インチのハードディスクがあり、コネクタの仕様は同じであるが、筐体の大きさが異なる。
このように筐体の大きさが異なるため、両方を扱うためにはそれぞれ別の装着ユニットを設ける必要があるという問題がある。
さらに、同じ装着ユニットに異なる大きさの記録媒体を装着可能な装置では、第一の記録媒体を装着した場合に装着ユニットから記録媒体が大きく突出して使用しにくいことがある。
また、記録媒体装着装置全体を従来のものよりもさらに薄型化したいとの要望もある。
【０００７】
本発明は、このような事情に鑑みてなされたものであって、その目的とするところは、厚さ及び長さの小さい記録媒体の移動域内で当接しないように配設したロック機構を備えることにより、装置の前面パネルから一部分が突出する厚さ及び長さの異なる記録媒体の占めるスペースを小さくして、装置の薄型化ができる記録媒体装着装置を提供することにある。
【０００８】
また本発明の他の目的とするところは、装置内のストッパの配設位置により、厚さ及び長さの異なる記録媒体を装置の前面パネルから略等しく突出して装着できる記録媒体装着装置を提供することにある。
【０００９】
さらに本発明の他の目的とするところは、第二の記録媒体を挿入する場合には、ロックレバーが第二の記録媒体の移動域内で避けて当接せず、ロック機構が解除されないが、第一の記録媒体を挿入していくと、ロックレバーを押してロック機構のロックが解除されるようにしたロック機構を備えることにより、装置全体の薄型化ができる記録媒体装着装置を提供することにある。
【００１０】
本発明の他の目的とするところは、装着ユニットのスライダーが元の位置に復帰する構成を備えることにより、スライダーが装置本体内に取り残されない記録媒体装着装置を提供することにある。
【００１１】
本発明の他の目的とするところは、装着ユニットのスライダーを前面パネルから所定距離だけ引き出せる構成とすることにより、第二の記録媒体をスライダーに装着したとき、取り出し時の作業性がよい記録媒体装着装置を提供することにある。
【００１２】
本発明の他の目的とするところは、装着した第一の記録媒体をロックする媒体ロック機構を備えることにより、装着後に装着状態を維持して記録媒体をロックすることができる記録媒体装着装置を提供することにある。
【００１３】
本発明の他の目的とするところは、装着した第一の記録媒体をロックする媒体ロック機構にロック爪を備えることにより、第一の記録媒体のロックを確実にする記録媒体装着装置を提供することにある。
【００１４】
本発明の他の目的とするところは、第一の記録媒体を取り出すとき、記録媒体をロックするロック爪が外れてからコネクタが外れるようにすることにより、取り出し時の作業がやり易い記録媒体装着装置を提供することにある。
【００１５】
本発明の他の目的とするところは、記録媒体を複数個前面パネルの装着ユニットに装着したとき、前面パネルから各記録媒体の突出する部分が重ならないように階段状にすることにより、記録媒体の装着作業が容易にできる記録媒体装着装置を提供することにある。
【００１６】
本発明の他の目的とするところは、装置の前面パネルを覆う前扉を設けることにより、例えばアクセス中に誤って記録媒体に接触して誤動作することのない記録媒体装着装置を提供することにある。
【課題を解決するための手段】
【００１７】
本発明の記録媒体装着装置は、筐体と、該筐体の前面パネルに設けられ、記録媒体を挿入するための挿入口と、第一の記録媒体並びに該第一の記録媒体より厚さ及び長さの小さい第二の記録媒体のいずれかを前記挿入口から一部分を突出させた状態で装着可能な装着ユニットとを備える記録媒体装着装置において、前記筐体内の前後方向にスライドシャフトが設けられており、前記装着ユニットは、前記筐体内のスライドシャフトに沿って移動可能かつ前記第一の記録媒体及び第二の記録媒体を装着可能なスライダーと、該スライダーの移動を禁止するロック機構とを備え、該ロック機構は、前記第二の記録媒体の移動域内であって前記第一の記録媒体の後端と当接してロックが解除されるように構成してあることを特徴とする。
【００１８】
このような構成の本発明の記録媒体装着装置では、大きい方の記録媒体を挿入するとロック機構のロックを解除するが、小さい方の記録媒体を挿入してもロックを解除せず、ロック機構が第二の記録媒体の移動域内で動作する。
【００１９】
本発明の記録媒体装着装置は、前記構成に加え、前記装着ユニットは、前記スライドシャフトに沿って移動可能であって前記スライダーに当接して移動可能なスライドプレートと、該スライドプレートを介して前記スライダーの前方向の移動を係止する前部ストッパと、前記第一の記録媒体を装着した前記スライダーの後方向の移動を係止する後部ストッパとを有しており、前記第一の記録媒体又は第二の記録媒体を前記挿入口から前記スライダーに装着してあるとき、前記前面パネルから突出する前記記録媒体の一部分の長さが、略等しくなるように、前記前部ストッパ及び後部ストッパが配設されていることを特徴とする。
【００２０】
このような構成の本発明の記録媒体装着装置では、挿入方向の長さが異なる大小の記録媒体を装着しても、前面パネルから突出する記録媒体の一部分の長さが略等しい。
【００２１】
本発明の記録媒体装着装置は、前記ロック機構は、弾性体と、前記スライダーに装着された前記第二の記録媒体の一面に沿って接触しないように回動自在に設けられたロックレバーと、前記前部ストッパに形成され前記ロックレバーの一端と係合する係合孔とを有し、前記ロックレバーは、前記係合孔に係合してロック状態を維持するように前記弾性体により付勢されており、前記ロックレバーの他端が前記第一の記録媒体の後端に当接して、前記ロック機構が解除されるように配設されていることを特徴とする。
【００２２】
このような構成の本発明の記録媒体装着装置では、第二の記録媒体をスライダーに装着するときには、ロック機構のロックレバーの他端が第二の記録媒体の上面に沿って接触しないが、第一の記録媒体をスライダーに装着するときには第一の記録媒体の後部と当接し、第一の記録媒体を挿入していくとき、ロックレバーの他端が挿入方向に押されることにより、ロックレバーが回動してロックレバーの一端が係合孔からはずれ、第一の記録媒体を挿入するに従いロック機構を解除し、最深部まで挿入する。
【００２３】
本発明の記録媒体装着装置は、前記装着ユニットは、前記スライダーに当接する前記スライドプレートを介して前記スライダーを前記記録媒体の取り出し方向に付勢する弾性体を有することを特徴とする。
【００２４】
このような構成の本発明の記録媒体装着装置では、弾性体の付勢力によりスライダーがスライドプレートに押され、スライダーの位置が復元する。
【００２５】
本発明の記録媒体装着装置は、前記スライドシャフトの一端には段部が形成され、該段部に前記スライダーが係止可能になっており、前記スライダーは、前記スライドプレートが前記前部ストッパに当接する位置から前記段部に当接する位置まで、前後方向に移動可能であることを特徴とする。
【００２６】
このような構成の本発明の記録媒体装着装置では、スライドプレートを介してスライダーが前部ストッパに当接する位置から前面パネルの手前方向にスライドシャフトの段部まで所定距離だけ移動する。
【００２７】
本発明の記録媒体装着装置は、前記装着ユニットは、前記第一の記録媒体を装着してあるとき、該第一の記録媒体の移動を禁止する媒体ロック機構を有していることを特徴とする。
【００２８】
このような構成の本発明の記録媒体装着装置では、第一の記録媒体を装着後、スライダーを元の位置に復帰させようとする弾性体の復元力に抗して、媒体ロック機構が第一の記録媒体をロックする。
【００２９】
本発明の記録媒体装着装置は、前記媒体ロック機構は、前記第一の記録媒体の一面の端縁部に有する溝に係合するロック爪を備えていることを特徴とする。
【００３０】
このような構成の本発明の記録媒体装着装置では、第一の記録媒体の装着後、第一の記録媒体の溝に、媒体ロック機構のロック爪が係合する。
【００３１】
本発明の記録媒体装着装置は、前記スライダーは、前記記録媒体を装着してあるときに接続されるコネクタを有しており、前記ロック爪の係合力が前記コネクタの抜去力よりも小さく設定されていることを特徴とする。
【００３２】
このような構成の本発明の記録媒体装着装置では、第一の記録媒体を取り出す際、ロック爪が外れてスライダーが最前部まで移動し、その後にコネクタが外れる。
【００３３】
本発明の記録媒体装着装置は、前記筐体の前面パネルは前記記録媒体の挿入方向に対して傾斜を有し、前記装着ユニットが前記傾斜にならって階段状に搭載されていることを特徴とする。
【００３４】
このような構成の本発明の記録媒体装着装置では、大きさの異なる記録媒体を複数個前面パネルの装着ユニットに装着し、前面パネルの上方から観たとき各記録媒体の突出する部分が重ならない。
【００３５】
本発明の記録媒体装着装置は、前記筐体の前面パネルに前扉を設けたことを特徴とする。
【００３６】
このような構成の本発明の記録媒体装着装置では、例えばアクセス中に物などが前面パネルから突出した記録媒体の一部分に接触しない。
【発明の効果】
【００３７】
本発明の記録媒体装着装置は、ロック機構が記録媒体の移動域内で動作するように構成してあるので、前面パネルから突出する記録媒体の占めるスペースが小さくなり、記録媒体装着装置全体を薄型化することができるという効果を有する。
【００３８】
本発明の記録媒体装着装置は、例えば装着方向の長さの異なる記録媒体を前面パネルから略等しく突出するように装着することができるという効果を有する。
【００３９】
本発明の記録媒体装着装置は、第二の記録媒体を挿入する場合には、ロックレバーが第二の記録媒体と当接せず、ロック機構が解除されないが、第一の記録媒体を挿入していくと、ロックレバーが第一の記録媒体の後端と当接してロック機構のロックレバーが解除されるので、記録媒体の厚さ程度のロック機構が可能となり、装置全体の薄型化ができるという効果を有する。
【００４０】
本発明の記録媒体装着装置は、スライダーの位置が復元するようになっているので、例えばトラブルが起きてもスライダーが装置本体内に取り残されることがないという効果を有する。
したがって、スライダーは元の位置で待機しているので、記録媒体を挿入口から挿入しても装置内に落下するということがない。
【００４１】
本発明の記録媒体装着装置は、スライダーが前部ストッパの位置から前面パネル方向に所定距離だけ引き出せるので、スライダーに第二の記録媒体を装着した場合、取り出し時の作業性がよくなるという効果を有する。
【００４２】
本発明の記録媒体装着装置は、媒体ロック機構を有しているので、第一の記録媒体を装着後、装着状態を維持して記録媒体をロックすることができるという効果を有する。
【００４３】
本発明の記録媒体装着装置は、媒体ロック機構のロック爪が第一の記録媒体の溝と係合するので、ロックが確実になるという効果を有する。
【００４４】
本発明の記録媒体装着装置は、第一の記録媒体を取り出すとき、記録媒体をロックするロック爪が外れてからコネクタが外れるので、取り出し時の作業がやり易くなるという効果を有する。
【００４５】
本発明の記録媒体装着装置は、記録媒体を複数個前面パネルの装着ユニットに装着したとき、前面パネルから各記録媒体の突出する部分が階段状で重ならないので、記録媒体の装着作業が容易になるという効果を有する。
【００４６】
本発明の記録媒体装着装置は、例えばアクセス中に誤って記録媒体に接触して誤動作することのないように前扉を設けているので、装置本体を保護することができるという効果を有する。
【発明を実施するための最良の形態】
【００４７】
以下、図に基づき、本発明による記録媒体装着装置の好適な実施の形態を説明する。
本実施の形態では、リムーバブルハードディスクを５個装着可能な記録媒体装着装置を例に説明する。このような記録媒体装着装置はパーソナルコンピュータ及び録画装置等に接続されて利用される。
【００４８】
図１は本実施の形態に係る記録媒体装着装置の外観図であり、前扉を閉じた状態を示す図である。図２は本実施の形態に係る記録媒体装着装置の前扉を開いた状態を示す外観図である。なお、２．５インチのメディア６及び１．８インチのメディア８は、ｉＶＤＲ規格のハードディスクであり、２．５インチのメディア６は１．８インチのメディア８よりも厚さ及び長さ（奥行き）が大きいが、幅は同一である。
本実施の形態に係る記録媒体装着装置は、筐体２の前面パネル３に設けられた複数の装着ユニット４に、２．５インチのメディア６又は１．８インチのメディア８が装着され、筐体２の前端で枢支された前扉１０で開閉可能になっている。
各メディアは挿入口５から挿入され、大きさの異なるメディアであっても同程度に突出するようになっている。前面パネル３から一部が同程度に突出したそれぞれのメディア６、８は、前面パネル３が前扉１０で覆われるようになっているため、アクセス中に本実施の形態に係る記録媒体装着装置に接触して誤動作することがない。
【００４９】
図３は本実施の形態に係る記録媒体装着装置の一部透視正面図である。図４は本実施の形態に係る記録媒体装着装置の一部透視右側面図である。
本実施の形態に係る記録媒体装着装置は、５台の装着ユニット４を備え、最下段の装着ユニット４には大きさの小さい１．８インチのメディア８が装着され、最上段の装着ユニット４には大きさの大きい２．５インチのメディア６が装着されている。
装着ユニット４は、筐体２内に設けられたスライドシャフト１２に沿って移動可能なスライドプレート１４及びスライダー１６と、スライダー１６の移動を係止するロック機構１８と、スライドプレート１４を介してスライダー１６を係止する前部ストッパ２０とを備える。スライダー１６は、それぞれのメディアを装着するときに接続されるコネクタ２２を有している。
【００５０】
装着ユニット４は、スライダー１６に当接するスライドプレート１４を介してスライダー１６を付勢するばね２４を有する。ばね２４にはスライドシャフト１２が嵌挿されて、スライドシャフト１２の後端に形成された肉厚の段部２６及びスライドプレート１４間に付勢されて設けられている。なお、スライドシャフト１２の前端にも肉厚の段部２５が形成されている。
【００５１】
スライダー１６の移動範囲を制限する前部ストッパ２０及び後部ストッパ２１は、ばね２４で付勢されているスライドプレート１４と当接して、スライドプレート１４の移動を止める。前部ストッパ２０ではスライドプレート１４の前面と当接し、後部ストッパ２１ではスライドプレート１４の背面と当接して係止される。
このスライドプレート１４は、スライダー１６と当接してばね２４の弾性力を作用させている。メディアを装着しない状態及び小さい種類の１．８インチのメディア８の装着状態では、ばね２４の弾性力により、スライダー１６がスライドプレート１４を介して前部ストッパ２０により係止されている。
【００５２】
さらに本実施の形態に係る装着ユニット４は、大きい種類の２．５インチのメディア６を最深部まで挿入したとき、スライドプレート１４を係止する後部ストッパ２１と、２．５インチのメディア６に形成された規格上の溝２８に係合するロック爪２９を有する媒体ロック機構３０を備える。２．５インチのメディア６を装着した後、媒体ロック機構３０によりスライダー１６全体がロックされ、復元しようとするばね２４の弾性力に抗するようになっている。
【００５３】
図５は本実施の形態に係る記録媒体装着装置の要部透視上面図である。図６は本実施の形態に係る記録媒体装着装置の右側面よりの要部斜視図である。図７は本実施の形態に係る記録媒体装着装置の左側面よりの要部斜視図である。
スライダー１６の移動を係止するロック機構１８は、大きさの小さい１．８インチのメディア８の厚さと同程度の厚さ、つまり略同じ厚さの範囲で配設されている。
このように、ロック機構１８は、１．８インチのメディア８の移動域内、つまり挿入可能域内で１．８インチのメディア８に当接しないように配設されている。
また、ロック機構１８は、ばね３２で付勢され、スライダー１６に装着される小さい１．８インチのメディア８の上面に沿って接触しないように回動自在に設けられたコの字型の平板なロックレバー３４と、一方の前部ストッパ２０に形成され、ロックレバー３４の一端５３と係合する係合孔３６とを有し、ロックレバー３４は回転軸３５を中心に回動可能になっている。係合孔３６は長丸又は長方形状に形成されている。
ロックレバー３４の他端は、小さい１．８インチのメディア８をスライダー１６に装着するときには当接しないが、大きい２．５インチのメディア６を装着するときには当接するようになっている。即ち、ロックレバー３４は、１．８インチのメディア８の厚さを超える位置であって２．５インチのメディア６の後端と当接可能な位置にて、ロックレバー３４の他端が当接する。
【００５４】
スライダー１６は、各メディアを搭載可能な断面が凹字形の形態であり、メディアの規格上設けられたガイド溝５２（図８参照）に対応して、ガイドレール３８が内部方向の両側に設けられている。
スライダー１６がメディアを挟持するように搭載する一方の後端部には、２．５インチのメディア６に形成された規格上の溝２８とロック爪２９とが係合可能なように凹部４２が形成されている。
さらにスライダー１６とスライドシャフト１２の前端部に形成された段部２５との間に間隙２７が設けられており、スライダー１６は、係止されたスライドプレート１４及び段部２５間で移動可能になっている。
なお、コネクタ２２は中継基板４４とフレキシブルフラットケーブル４６で接続されている。
【００５５】
２．５インチのメディア６を前面パネル３から突出させる部分は、後部ストッパ２１又は媒体ロック機構３０のロック爪２９の位置により定められる。また１．８インチのメディア８を前面パネル３から突出させる部分は、前部ストッパ２０がスライドプレート１４と当接する位置及び間隙２７で定められる。
【００５６】
次に、本実施の形態に係る記録媒体装着装置の動作について説明する。
先ず、大きさの異なる二種のメディアのうち、小さい方の１．８インチのメディア８を装着する場合について説明する。
図８は本実施の形態に係る記録媒体装着装置に１．８インチのメディアを装着した状態を示す要部斜視図である。図９は本実施の形態に係る記録媒体装着装置に１．８インチのメディアを装着した状態を示す要部上面図であり、（ａ）は１．８インチのメディアを挿入した状態を示し、（ｂ）は手前にスライドさせた状態を示す図である。
【００５７】
図７及び図８を参照して、１．８インチのメディア８を挿入口５（図２参照）から挿入しながら、１．８インチのメディア８の両側部に設けられている規格上のガイド溝５２をスライダー１６のガイドレール３８に合わせ、このガイドレール３８に沿って押し込んでいき、ガイド溝５２及びガイドレール３８が嵌合する。この１．８インチのメディア８を押し込んでいくとき、専用のコネクタ２２に接続する。
【００５８】
１．８インチのメディア８を挿入していくとき、ロック機構１８はロックした状態を維持する。即ち、ロックレバー３４の他端５４は、１．８インチのメディア８に当接せず、ロックレバー３４の一端５３が係合孔３６に係合したまま係止している。
ロック機構１８がロック状態であるので、スライダー１６は、１．８インチのメディア８を挿入していっても移動しない。
【００５９】
図９に示すように１．８インチのメディア８を挿入後、この挿入した位置から間隙２７だけ段部２５まで手前にスライダー１６をスライドさせると、ロックレバーの一端５３は、係合孔３６が長丸又は長方形状なので、係合孔３６内を記録媒体の引き出し方向に移動し、１．８インチのメディア８の突出部が大きくなる。図９（ｂ）に示した例では、距離Ｙだけ手前に突出が大きくなる。
このように本実施の形態では記録媒体装着装置の手前側に突出を大きくすることができるので、１．８インチのメディア８の取り出し時の作業性がよくなる。
【００６０】
次に、大きい２．５インチのメディア６を装着する場合の本実施の形態に係る記録媒体装着装置の動作を説明する。
図１０は本実施の形態に係る２．５インチのメディア装着時の状態を示す要部斜視図である。図１１は本実施の形態に係る２．５インチのメディアの装着時の状態を示す要部斜視図である。
先ず、２．５インチのメディア６を挿入口５（図２参照）から挿入しながら、２．５インチのメディア６の両側部に設けられている規格上のガイド溝５２をスライダー１６のガイドレール３８に合わせる。次に、このガイドレール３８に沿って２．５インチのメディア６を押し込んでいくと、ロックレバー３４の他端５４が２．５インチのメディア６の後端に当接し、ばね３２の付勢力に抗して、ロックレバー３４が回転軸３５の回りに回動し、ロックレバー３４の一端５３が係合孔３６から外れる。
【００６１】
次いで、さらに２．５インチのメディア６を押し込んでいくと、スライダー１６は、ばね２４の付勢力に抗して、スライドプレート１４とともにスライドしていく。
そして、２．５インチのメディア６は専用のコネクタ２２に接続し、スライドプレート１４は後部ストッパ２１に当接して、スライダー１６全体が係止する。
このとき、媒体ロック機構３０のロック爪２９が２．５インチのメディア６の規格上の溝２８に嵌合する。
【００６２】
このような媒体ロック機構３０を設けた本実施の形態では、２．５インチのメディア６を装着後、内部に設けられているロック爪２９が、２．５インチのメディア６の上部に設けられている規格上の溝２８に入り込むので、スライダー１６全体をロックすることができる。
また、ばね２４の付勢力が、スライドプレート１４を介してスライダー１６に作用しているので、コネクタ２２を備えたスライダー１６が常に排出方向に押されており、何らかのトラブルが起きても、スライダー１６が記録媒体装着装置内に取り残されるということがない。
【００６３】
装着された２．５インチのメディア６を取り出すときは、２．５インチのメディア６を引き抜いていくが、先ず、媒体ロック機構３０のロック爪２９及び規格上の溝２８の嵌合がはずれ、スライダー１６がメディアの排出方向にスライドしていく。次に、スライドプレート１４が前部ストッパ２０に当接する。次いで、さらに２．５インチのメディア６を引き出していくと、スライダー１６は間隙２７をスライドする。
そして、ロックレバー３４の一端５３が係合孔３６に係合し、スライダー１６は、スライドシャフト１２の前端に形成されている段部２５に当接して係止し、コネクタ２２の接続が外れる。
【００６４】
このように本実施の形態では、媒体ロック機構３０のロック力をコネクタ２２の抜去力よりも低く設定しているので、２．５インチのメディア６を取り出す際は、先ず奥のロック爪２９が外れてスライダー１６が最前部まで移動し、その後コネクタ２２が外れることでメディア取り出しの作業が容易になる。
【００６５】
次に、他の実施の形態について説明する。
他の実施の形態は、上述した装着ユニットと同様の構成であるが、筐体が、１．８インチのメディア及び２．５インチのメディアの挿入方向に対して傾斜した前面パネルを有するものである。
図１２は他の実施の形態に係る記録媒体装着装置の外観図であり、前扉を閉じた状態を示す図である。図１３は他の実施の形態に係る記録媒体装着装置の前扉を開いた状態を示す外観図である。図１４は他の実施の形態に係る記録媒体装着装置の一部透視側面図である。
【００６６】
他の実施の形態に係る記録媒体装着装置は、筐体６０の前面にて、メディアの挿入方向に対して傾斜した前面パネル６１を有し、この前面パネル６１に設けられた複数の装着ユニット４に、それぞれ２．５インチのメディア６及び１．８インチのメディア８が複数個装着され、前扉６２で開閉可能になっている。
【００６７】
他の実施の形態に係る筐体６０は、図１４に示すように、装着ユニット４のスライダー１６をスライド可能に支持するスライドシャフト１２を両端にて固定する階段状の前部ブラケット６４及び後部ブラケット６６を備える。階段状の後部ブラケット６６に対応して、前部ブラケット６４は、逆階段状である。
逆階段状の前部ブラケット６４は、傾斜した前面パネル６１背面の両縁部に沿って設けられ、階段状の後部ブラケット６６は、筐体６０の後部両側部に沿って設けられ、それぞれの段が対向している。
他の実施の形態に係る記録媒体装着装置は、前部ブラケット６４及び後部ブラケット６６間に設けられたスライドシャフト１２に上述した装着ユニット４を記録媒体の挿入方向に対して段違いに備えており、大きさの異なる２．５インチのメディア６及び１．８インチのメディア８のメディアは、メディアの挿入方向に傾斜した前面パネル６１から同程度の部分が階段状に突出して配設されている。
なお、図１４中、２２はコネクタを示し、４４は中継基板を示すが、コネクタ２２及び中継基板４４を接続するフレキシブルフラットケーブルは省略した。
【００６８】
このように傾斜した前面パネル６１から、一部が同程度に階段状に突出したそれぞれのメディアは、上下に重ねて挿入されても、重なる部分が減り、メディアの挿入作業を容易にすることができる。
また、前面パネル６１が前扉６２で覆われるようになっているため、アクセス中に本実施の形態に係る記録媒体装着装置に接触して誤動作することがない。
【００６９】
なお、本実施の形態では、ロック機構をスライダーの一端に設けたが、スライダーの両端に設けてもよい。
また本実施の形態では、スライドプレートを付勢するもの及びロック機構でロックレバーを付勢するものとしてばねを使用したが、これに限らず、付勢力を付与するものであれば、どのような弾性体であってもよい。
さらに本実施の形態では、スライダーを支持しスライドさせるものとして、スライドシャフトを使用したが、これに限らず、スライダーを案内する部材であればよく、例えば、筐体の両側部に設けられたガイドレールであってもよい。
【産業上の利用可能性】
【００７０】
以上のように、本発明に係る記録媒体装着装置は、大きさの異なる記録媒体を装着する記録媒体装着装置として極めて有用であり、リムーバブルハードディスクを搭載する装置に利用可能である。
【図面の簡単な説明】
【００７１】
【図１】本実施の形態に係る記録媒体装着装置の、前扉を閉じた状態を示す外観図である。
【図２】本実施の形態に係る記録媒体装着装置の前扉を開いた状態を示す外観図である。
【図３】本実施の形態に係る記録媒体装着装置の一部透視正面図である。
【図４】本実施の形態に係る記録媒体装着装置の一部透視右側面図である。
【図５】本実施の形態に係る記録媒体装着装置の要部透視上面図である。
【図６】本実施の形態に係る記録媒体装着装置の右側面よりの要部斜視図である。
【図７】本実施の形態に係る記録媒体装着装置の左側面よりの要部斜視図である。
【図８】本実施の形態に係る記録媒体装着装置に１．８インチのメディアを装着した状態を示す要部斜視図である。
【図９】本実施の形態に係る記録媒体装着装置に１．８インチのメディアを装着した状態を示す要部上面図である。
【図１０】本実施の形態に係る２．５インチのメディア装着時の状態を示す要部斜視図である。
【図１１】本実施の形態に係る２．５インチのメディアの装着時の状態を示す要部斜視図である。
【図１２】他の実施の形態に係る記録媒体装着装置の、前扉を閉じた状態を示す外観図である。
【図１３】他の実施の形態に係る記録媒体装着装置の前扉を開いた状態を示す外観図である。
【図１４】他の実施の形態に係る記録媒体装着装置の一部透視側面図である。
【符号の説明】
【００７２】
２  筐体
３  前面パネル
４  装着ユニット
５  挿入口
６  ２．５インチのメディア
８  １．８インチのメディア
１０  前扉
１２  スライドシャフト
１４  スライドプレート
１６  スライダー
１８  ロック機構
２０  前部ストッパ
２１  後部ストッパ
２２  コネクタ
２４、３２  ばね（弾性体）
２５  段部
２８  溝
２９  ロック爪
３０  媒体ロック機構
３４  ロックレバー
３６  係合孔
【図１】
2008041202.tif 000003
【図２】
2008041202.tif 000004
【図３】
2008041202.tif 000005
【図４】
2008041202.tif 000006
【図５】
2008041202.tif 000007
【図６】
2008041202.tif 000008
【図７】
2008041202.tif 000009
【図８】
2008041202.tif 000010
【図９】
2008041202.tif 000011
【図１０】
2008041202.tif 000012
【図１１】
2008041202.tif 000013
【図１２】
2008041202.tif 000014
【図１３】
2008041202.tif 000015
【図１４】
2008041202.tif 000016